(57)【要約】【課題】壁面に対する台座の取り付け向きを変えなくても上下左右の兼用が可能な手すりブラケットを提供する。【解決手段】手すりブラケット１は、壁面に固定される台座１０と、アーム２０と、手すりを受ける受口３１が形成された受け部材３０とを備えている。アーム２０は、略Ｌ字状に形成されている。アーム２０の一端側の軸２０ａは、当該軸周りの取り付け角度が変更自在なように、台座１０に取り付けられている。受け部材３０は、アーム２０の他端側の軸２０ｂに対し、当該軸周りの取り付け角度が変更自在なように取り付けられている。【選択図】図４
2008202313.tif 000002
【特許請求の範囲】
【請求項１】
壁面に固定される台座と、
互いに交差する方向に延びる一端側の軸および他端側の軸を有し、前記一端側の軸が当該軸周りの取り付け角度が変更自在なように前記台座に取り付けられる曲がりアームと、
前記曲がりアームの他端側の軸方向と交差する方向に開口しかつ手すり棒の一端部が挿入される受口を有し、前記曲がりアームの他端側の軸に当該軸周りの取り付け角度が変更自在なように取り付けられる受け部材と、
を備えた手すりブラケット。
【請求項２】
請求項１に記載の手すりブラケットにおいて、
前記台座は、壁面に対する取り付け向きが予め定められている手すりブラケット。
【請求項３】
請求項２に記載の手すりブラケットにおいて、
前記台座は、３つ以上のねじ穴が形成されかつ壁面と接触する略円形の接触面を有し、最も左側に位置するねじ穴の中心と最も右側に位置するねじ穴の中心とにおける左右方向の距離が最も短くなる向きで前記壁面に固定される手すりブラケット。
【請求項４】
請求項２に記載の手すりブラケットにおいて、
前記台座は、壁面と接触する略長方形状または略長円形状の接触面を有し、前記接触面が上下方向に延びるような向きで前記壁面に固定される手すりブラケット。
【請求項５】
請求項１〜４のいずれか一つに記載の手すりブラケットにおいて、
前記台座は、壁面と略直交する方向に延びる筒部を有し、
前記受け部材には、前記受口の開口方向と略直交する方向に延びる取り付け孔が形成され、
前記曲がりアームは略Ｌ字状に曲がっており、
前記曲がりアームの一端側の軸は、壁面と略直交する方向に延びるとともに、前記筒部内に取り付けられ、
前記曲がりアームの他端側の軸は、前記受け部材の前記取り付け孔内に取り付けられている手すりブラケット。
【発明の詳細な説明】
【技術分野】
【０００１】
本発明は、廊下や階段等の壁面に手すり棒を設置するために用いられる手すりブラケットに関する。
【背景技術】
【０００２】
従来から、廊下や階段等の壁面に手すり棒を設置する際に、手すりブラケットが用いられている。手すりブラケットは、手すり棒を支持するものであり、ねじ等の締結具を介して壁面に固定される。
【０００３】
手すりブラケットには多くの種類があり、使用態様、すなわち壁面への取り付け方や手すり棒の支持方法等に応じて、適当な手すりブラケットが選択される。例えば、手すり棒を左右に延びるように配置する場合には、手すり棒の右端部を支持するためのブラケットである右用ブラケットや、手すり棒の左端部を支持するためのブラケットである左用ブラケットが用いられる。一方、手すり棒を上下に延びるように配置する場合には、手すり棒の上端部を支持するためのブラケットである上用ブラケットや、手すり棒の下端部を支持するためのブラケットである下用ブラケットが用いられる。
【０００４】
しかし、予め多くの種類の手すりブラケットを準備しておくことは、管理の煩わしさやコストの面から好ましくない。そこで、従来から、複数の使用態様に対応可能な手すりブラケットが提案されている。
【０００５】
特許文献１には、左右兼用が可能な手すりブラケットが開示されている。図２０に示すように、この手すりブラケットは、手すり棒１０１の一端部を受け入れる横向きの受口１０３を備えた受け部材１０２と、垂直な壁面に固定される台座（支持部材）１０４とからなっている。受け部材１０２の下側には四角柱状の軸１０５が設けられ、台座１０４の先端部には、四角形の穴１０６が形成されている。受け部材１０２は、軸１０５を穴１０６に挿入した状態で台座１０４に支持されるが、軸１０５は９０°毎にずれた位置でも穴１０６に挿入可能である。そのため、受け部材１０２は台座１０４に対して、縦軸の周りに９０°毎に取り付け角度が変更可能に保持されている。これにより、受口１０３の向きを縦軸の周りで変更することができ、受口１０３の向きを１８０°変えることにより、左右兼用が可能になっている。
【特許文献１】特開２００４−５２４３１号公報
【発明の開示】
【発明が解決しようとする課題】
【０００６】
ところで、台座の種類によっては、壁面に対する取り付け向きが予め決まっている場合がある。また、例えば幅の狭い間柱に設置する場合などのように、設置する壁面の状況によっては、台座の取り付け向きに制約があり、台座の取り付け向きを自由に変更することができない場合がある。
【０００７】
特許文献１に開示された上記手すりブラケットでは、台座１０４の取り付け向きを変えることができない場合には、左右兼用は可能であるが、上下兼用は不可能である。
【０００８】
例えば、上記手すりブラケットでは、図２０に示すように、台座１０４の裏側に３つのビス穴１０９が形成されており、これら３つのビス穴１０９は逆正三角形状、すなわち、それぞれのビス穴１０９が逆正三角形の頂点に位置するように配置されている。ところが、前述のように、上記手すりブラケットでは、受け部材１０２の向きは縦軸周りでしか変更することができない。そのため、仮に、台座１０４の取り付け向きを変更できず、これらビス穴１０９の逆正三角形状の配置を変更できないとすると、受け部材１０２の受口１０３を上向きまたは下向きにすることはできない。
【０００９】
このように、上記手すりブラケットでは、壁面に対する台座の取り付け向きを変更できない場合には、上下左右の兼用は不可能であった。
【００１０】
本発明は、かかる点に鑑みてなされたものであり、その目的とするところは、壁面に対する台座の取り付け向きを変えなくても上下左右の兼用が可能な手すりブラケットを提供することにある。
【課題を解決するための手段】
【００１１】
本発明に係る手すりブラケットは、壁面に固定される台座と、互いに交差する方向に延びる一端側の軸および他端側の軸を有し、前記一端側の軸が当該軸周りの取り付け角度が変更自在なように前記台座に取り付けられる曲がりアームと、前記曲がりアームの他端側の軸方向と交差する方向に開口しかつ手すり棒の一端部が挿入される受口を有し、前記曲がりアームの他端側の軸に当該軸周りの取り付け角度が変更自在なように取り付けられる受け部材と、を備えたものである。
【００１２】
上記手すりブラケットによれば、台座に対するアームの取り付け角度は、アームの一端側の軸周りに変更自在であり、また、アームに対する受け部材の取り付け角度は、アームの他端側の軸周りに変更自在である。ここで、アームの一端側および他端側の軸方向は、互いに交差する方向（例えば直交する方向）である。そのため、例えば、アームに対する受け部材の取り付け角度を１８０°変更することによって左右の兼用が可能になり、さらに、台座に対するアームの取り付け角度を１８０°変更することによって、上下の兼用が可能となる。その結果、壁面に対する台座の取り付け向きを変更しなくても、上下左右の兼用が可能となる。
【００１３】
前記手すりブラケットの台座は、壁面に対する取り付け向きが予め定められているものであってもよい。
【００１４】
このように台座の取り付け向きが予め定められている場合には、上述の効果がより顕著に発揮される。
【００１５】
前記台座は、３つ以上のねじ穴が形成されかつ壁面と接触する略円形の接触面を有し、最も左側に位置するねじ穴の中心と最も右側に位置するねじ穴の中心とにおける左右方向の距離が最も短くなる向きで前記壁面に固定されるものであってもよい。
【００１６】
上記手すりブラケットによれば、台座のねじ穴全体の左右方向の距離が最も短くなる向きで壁面に固定される。そのため、幅の狭い間柱等に対しても、台座を良好に取り付けることができる。また、そのように幅の狭い間柱等に取り付ける場合であっても、上下左右の兼用が可能である。
【００１７】
前記台座は、壁面と接触する略長方形状または略長円形状の接触面を有し、前記接触面が上下方向に延びるような向きで前記壁面に固定されるものであってもよい。
【００１８】
上記手すりブラケットによれば、台座の左右方向の長さが短くなる向きで壁面に取り付けられる。そのため、幅の狭い間柱等に対しても、台座を良好に取り付けることができる。また、そのように幅の狭い間柱等に取り付ける場合であっても、上下左右の兼用が可能である。
【００１９】
前記台座は、壁面と略直交する方向に延びる筒部を有し、前記受け部材には、前記受口の開口方向と略直交する方向に延びる取り付け孔が形成され、前記曲がりアームは略Ｌ字状に曲がっており、前記曲がりアームの一端側の軸は、壁面と略直交する方向に延びるとともに、前記筒部内に取り付けられ、前記曲がりアームの他端側の軸は、前記受け部材の前記取り付け孔内に取り付けられていてもよい。
【００２０】
このことにより、壁面に対する台座の取り付け向きを変えなくても上下左右の兼用が可能な好適な手すりブラケットを得ることができる。
【発明の効果】
【００２１】
以上のように、本発明によれば、壁面に対する台座の取り付け向きを変えなくても上下左右の兼用が可能な手すりブラケットを実現することができる。
【発明を実施するための最良の形態】
【００２２】
＜実施形態１＞
図１〜図３に示すように、本実施形態に係る手すりブラケット１は、上下左右の兼用が可能なものである。図１は、手すりブラケット１が左右兼用で利用されている例を示している。すなわち、図１に示すように、手すりブラケット１は、手すり棒５の左端部を支持する左用ブラケットとして利用できるとともに、手すり棒５の右端部を支持する右用ブラケットとしても利用することができる。図２および図３は、手すりブラケット１が上下兼用で利用されている例を示している。すなわち、手すりブラケット１は、手すり棒５の上端部を支持する上用ブラケットとして利用できるとともに、手すり棒５の下端部を支持する下用ブラケットとしても利用することができる。なお、本明細書では、手すり棒５および手すりブラケット１の全体を、手すりと称する。
【００２３】
図４に示すように、手すりブラケット１は、壁面に固定される台座１０と、手すり棒５を支持する受け部材３０と、台座１０と受け部材３０とをつなぐアーム２０とを備えている。
【００２４】
台座１０は、台座本体１１とカバー１２とから構成されている。図５は台座本体１１の正面図、図６は台座本体１１の裏面図、図７は台座本体１１の縦断面図である。図８は、台座本体１１の裏側の斜視図である。図５〜図８に示すように、台座本体１１は、略リング状の座部１１ａと、座部１１ａに立設された筒部１１ｂとを備えている。図６に示すように、座部１１ａの裏面は、壁面と接触する接触面１１ｃとなっている。
【００２５】
図５および図６に示すように、座部１１ａには３つのねじ穴が形成されている。具体的には、座部１１ａには、第１ねじ穴１３ａ、第２ねじ穴１３ｂ、および第３ねじ穴１３ｃが形成されている。これらのねじ穴１３ａ〜１３ｃは、それぞれが逆三角形の頂点に位置するように配置されている。すなわち、ねじ穴１３ａ〜１３ｃは、逆三角形状に配置されている。
【００２６】
特に本実施形態では、台座１０を幅の狭い間柱６０（図５参照）にも取り付けることができるように、これらのねじ穴１３ａ〜１３ｃは、逆二等辺三角形状に配置されている。具体的には、第１ねじ穴１３ａと第２ねじ穴１３ｂとの間の距離は、第１ねじ穴１３ａと第３ねじ穴１３ｃとの間の距離に等しい。一方、第２ねじ穴１３ｂと第３ねじ穴１３ｃとの間の距離（なお、本明細書では、ねじ穴同士の距離は、ねじ穴の中心間の距離をいうものとする。）は、第１ねじ穴１３ａと第２ねじ穴１３ｂとの間の距離よりも短く、また、第１ねじ穴１３ａと第３ねじ穴１３ｃとの間の距離よりも短くなっている。
【００２７】
その結果、ねじ穴１３ａ〜１３ｃの全体の左右方向長さＬ１は、上下方向長さＬ２よりも短く、Ｌ１はＬ２の半分程度になっている。そのため、仮に座部１１ａを図５の状態から９０°回転させた状態で取り付けるとすると、ねじ穴１３ａ〜１３ｃの全体の左右方向長さはＬ２となり、Ｌ１の２倍になってしまう。このように、本実施形態に係る座部１１ａでは、取り付けの向きによって、ねじ穴１３ａ〜１３ｃの全体の左右方向長さが大きく変わる。したがって、座部１１ａには、取り付けの向きに方向依存性があり、本実施形態に係る台座１０は、壁面に対する取り付け向きが予め定められている。なお、左側に位置する第２ねじ穴１３ｂは、表側から裏側に向かって右側に傾斜しており、右側に位置する第３ねじ穴１３ｃは、表側から裏側に向かって左側に傾斜している。これは、幅の狭い間柱６０にもねじ（図示せず）を差し込むことができるように、ねじを左右方向の中央側に導くためである。
【００２８】
図７および図８に示すように、筒部１１ｂの内側には、アーム２０の一端部を挿通させる取り付け孔１４が形成されている。取り付け孔１４は、筒部１１ｂの軸方向の途中で横断面の輪郭形状が変化する孔であり、表側の取り付け孔１４ａと裏側の取り付け孔１４ｂとによって形成されている。表側の取り付け孔１４ａと裏側の取り付け孔１４ｂとの間には、段差部１４ｃが形成されている。表側の取り付け孔１４ａの輪郭形状は、角が丸まった略正方形状に形成されている。裏側の取り付け孔１４ｂの輪郭形状は、外側の角が丸まった略正八角形状に形成されている。また、筒部１１ｂには、半径方向に延びるねじ穴１５が設けられている。
【００２９】
図９はアーム２０の平面図、図１０はアーム２０の側面図、図１１はアーム２０の正面図である。図９〜図１１に示すように、アーム２０は、略Ｌ字状に曲がったアーム本体２１と、アーム本体２１の根元端に設けられたフランジ２２と、アーム本体２１の先端に設けられた突起２３とを備えている。フランジ２２を含めたアーム本体２１の根元側は、アーム２０の一端側の軸２０ａを形成している（図４参照）。一方、突起２３を含めたアーム本体２１の先端側は、アーム２０の他端側の軸２０ｂを形成している。アーム本体２１は略Ｌ字状に形成されているので、アーム２０の一端側の軸２０ａと他端側の軸２０ｂとは、互いに直交する方向に延びている。
【００３０】
フランジ２２は、台座１０の筒部１１ｂの取り付け孔１４に挿通自在なように、表側の取り付け孔１４ａの輪郭形状と同様の輪郭形状を有している。すなわち、フランジ２２は、角が丸まった略正方形状に形成されている。また、図１１に示すように、フランジ２２の各辺は、アーム本体２１の中心軸から４５°傾いている。なお、フランジ２２およびアーム本体２１の根元側の内側には、孔２４が形成されている。
【００３１】
図９に示すように、突起２３は、アーム本体２１の先端側の端面上に配置され、六角ボルト状に形成されている。すなわち、突起２３の断面は、正六角形状に形成されている。本実施形態では、突起２３はアーム本体２１と一体的に形成されている。ただし、突起２３とアーム本体２１とは別体であってもよい。突起２３からアーム本体２１の先端側の一部にかけては、ねじ穴２５が形成されている。
【００３２】
図４に示すように、受け部材３０は略円筒状に形成されている。図１２は受け部材３０の縦断面図、図１３は受け部材３０の裏面図である。図１２に示すように、受け部材３０の前側には、手すり棒５の一端部を受け入れる受口３１が形成されている。受口３１の下側には、ねじ穴３２が形成されている。受け部材３０の後側には、アーム２０に取り付けられる取り付け部３３が形成されている。取り付け部３３は、下側に形成されたアーム挿入孔３４と、上側に形成されたねじ穴３５とを有している。アーム挿入孔３４は、アーム２０の先端側の形状に応じた形状に形成されており、アーム挿入孔３４の上側は、正六角形状の孔３４ａとなっている。これらアーム挿入孔３４およびねじ穴３５は、いずれも上下方向に延びており、互いに連続している。
【００３３】
以上が手すりブラケット１の構成である。次に、手すりブラケット１の台座１０、アーム２０および受け部材３０の組立方法について説明する。
【００３４】
まず、台座１０とアーム２０との組立について説明する。台座１０にアーム２０を組み立てる際には、アーム２０のフランジ２２の向きを台座１０の表側取り付け孔１４ａに合わせ、フランジ２２が取り付け孔１４の裏側端を通過するまで、アーム２０を取り付け孔１４に挿入する（図１４参照）。次に、アーム２０の先端側の向きが所望の向きになるまで、アーム２０を取り付け孔１４内で回転させる（図１５参照）。例えば、手すりブラケット１が左用または右用のブラケットとして用いられる場合には、アーム２０が根元側から先端側に行くに従って上向きに折れ曲がるようにする。手すりブラケット１が上用または下用のブラケットとして用いられる場合には、アーム２０が根元側から先端側に行くに従って左向きまたは右向きに折れ曲がるようにする。
【００３５】
その状態でアーム２０を台座１０の裏側から表側に向かって引っ張ると、アーム２０のフランジ２２は裏側取り付け孔１４ｂ内に挿入される。ここで、フランジ２２と裏側取り付け孔１４ｂとは、互いに対応した略正八角形に形成されているので、フランジ２２が裏側取り付け孔１４ｂ内に挿入された状態では、フランジ２２の回転は阻止される。したがって、台座１０に対するアーム２０の回転が防止される。
【００３６】
次に、台座１０に対するアーム２０の突出長さを微調整し、ねじ穴１５に挿入したねじ（図示せず）でアーム２０を固定する。なお、台座１０の筒部１１ｂ内には段差部１４ｃが設けられており、アーム２０を引っ張りすぎてもフランジ２２が段差部１４ｃに当接するので、アーム２０が台座１０から抜けることはない。以上のようにして、台座１０に対してアーム２０が組み立てられる。
【００３７】
次に、アーム２０と受け部材３０との組立について説明する。前述したように、受け部材３０にはアーム挿入孔３４が形成されているとともに、アーム２０の先端には断面正六角形の突起２３が設けられ、受け部材３０のアーム挿入孔３４の一部は、断面正六角形状の孔３４ａとなっている。そのため、受け部材３０は、アーム２０の先端に取り付け可能であるとともに、アーム２０の先端側の軸周りに６０°毎に取り付け向きが調整可能となっている。そこで、受け部材３０をアーム２０に取り付ける際には、受け部材３０の向きを所定の向きにしたうえで、受け部材３０のアーム挿入孔３４にアーム２０の先端側を挿入する。すなわち、手すりブラケット１を左用のブラケットとして用いる場合には受口３１が右方向を向くように、手すりブラケット１を右用のブラケットとして用いる場合には受口３１が左方向を向くように、手すりブラケット１を上用のブラケットとして用いる場合には受口３１が下方向を向くように、手すりブラケット１を下用のブラケットとして用いる場合には受口３１が上方向を向くように、それぞれ受け部材３０の向きを調整する。
【００３８】
受け部材３０をアーム２０に嵌め込んだ後は、受け部材３０のねじ穴３５からねじ（図示せず）をねじ込む。これにより、受け部材３０がアーム２０に固定される。
【００３９】
なお、以上の説明では、アーム２０を台座１０に取り付けた後、受け部材３０をアーム２０に取り付ける場合を説明した。しかし、受け部材３０をアーム２０に取り付けた後、アーム２０を台座１０に取り付けることももちろん可能である。
【００４０】
以上のように、本実施形態に係る手すりブラケット１は、壁面に固定される台座１０と、略Ｌ字状に曲がったアーム２０と、手すり棒５を受ける受け部材３０とを備えている。そして、アーム２０の一端側が、軸周りの取り付け角度が変更自在なように台座１０に取り付けられている。また、受け部材３０が、アーム２０の他端側に、軸周りの取り付け角度が変更自在なように取り付けられている。そのため、本実施形態に係る手すりブラケット１によれば、台座１０に対してアーム２０の取り付け向きを変更できるとともに、アーム２０に対して受け部材３０の取り付け向きを変更することができるので、壁面に対する台座１０の取り付け向きを変えなくても、上下左右の兼用が可能となる。その結果、手すりブラケット１の商品としての保管や輸送などが簡素化され、総合的なコスト削減を図ることができる。
【００４１】
本実施形態に係る手すりブラケット１によれば、台座１０には３つのねじ穴１３ａ〜１３ｃが設けられており、それらは逆二等辺三角形状に配置されている。そのため、手すりブラケット１は、幅の狭い間柱６０に対しても取り付けることが可能である。一方、ねじ穴１３ａ〜１３ｃが逆二等辺三角形状に配置されているので、壁面に対する台座１０の取り付け向きが予め定められていると言うことができる。また、幅の狭い間柱６０等に取り付ける場合には、台座１０の取り付け向きは制約を受けることになる。しかし、上述した通り、この手すりブラケット１によれば、台座１０に対してアーム２０の取り付け向きを変更できるとともに、アーム２０に対して受け部材３０の取り付け向きを変更することができるので、壁面に対する台座１０の取り付け向きに制約があったとしても、上下左右の兼用が可能となる。
【００４２】
また、本実施形態に係る手すりブラケット１によれば、受け部材３０がアーム２０に対して着脱自在なので、以下のような効果も得ることができる。すなわち、手すり棒５の設置に際しては、予め手すりブラケット１を左右または上下に配置し、壁面に仮固定する。次に、手すり棒５をそれら手すりブラケット１間の距離に応じた長さに切断する。そして、手すり棒５を受け部材３０の受口３１に挿入する。この際、受け部材３０がアーム２０に対して着脱不能であれば、手すり棒５を挿入可能とするために、受け部材３０とともにアーム２０を台座１０からいったん取り外さなければならない。しかし、本実施形態に係る手すりブラケット１によれば、台座１０およびアーム２０を取り外すことなく受け部材３０のみを取り外して手すり棒５を挿入し、その後に受け部材３０を再度取り付ければよい。そのため、手すり棒５の設置をより簡単に行うことができ、便利である。
【００４３】
＜実施形態２＞
実施形態１では、台座１０の座部１１ａが略リング状に形成されていた。しかし、座部１１ａの形状は、何ら限定されるものではない。図１７および図１８に示すように、実施形態２に係る手すりブラケット１は、実施形態１において、台座１０の座部１１ａの形状に変更を加えたものである。
【００４４】
図１７および図１８に示すように、実施形態２に係る手すりブラケット１の台座１０の座部１１ａは、壁面のコーナー部等に取り付けることができるように、縦長の略四角柱状に形成されている。具体的には、図１８に示すように、座部１１ａは、互いに直交する第１接触面１６ａおよび第２接触面１６ｂを有している。座部１１ａには、実施形態１と同様の筒部１１ｂが一体的に形成されている。第１接触面１６ａは筒部１１ｂの軸方向と直交し、第２接触面１６ｂは筒部１１ｂの軸方向と平行である。座部１１ａには、筒部１１ｂの軸方向に対して斜めの方向に延びるねじ穴１７が、上下に２つ形成されている（図１９参照）。台座１０は、これらねじ穴１７に挿通されるねじ（図示せず）によって、壁面に固定される。その他の構成は実施形態１と同様であるので、同様の符号を付し、説明を省略する。
【００４５】
本実施形態の座部１１ａは壁面のコーナー部等に取り付けられるものであるので、本実施形態においても、壁面に対する座部１１ａの取り付け向きは予め定められている。しかし、実施形態１と同様、台座１０に対するアーム２０の取り付け向き、および、アーム２０に対する受け部材３０の取り付け向きが調整可能であるので、手すりブラケット１の上下左右の兼用が可能となる。
【００４６】
なお、本実施形態では、台座１０の接触面１６ａ，１６ｂが略長方形状に形成されていたが、台座１０の接触面は略長円形状であってもよい。
【００４７】
《本明細書における用語等の定義》
前記実施形態では、アーム２０の一端側の軸２０ａには孔２４が形成され、他端側の軸２０ｂにはねじ穴２５が形成されていた。そのため、アーム２０の両端の軸２０ａ，２０ｂは、いずれも中空の軸であった。しかし、本明細書における「軸」は、中空の軸に限らず、中実の軸であってもよい。
【００４８】
「壁面」は、台座１０の接触面１１ｃと接触する面であり、台座１０の接触面１１ｃの形状に応じて任意の形状を取りうる。本明細書における「壁面」は、必ずしも平滑な面でなくてもよく、接触面１１ｃが曲面の場合には、「壁面」は曲面であってもよい。
【００４９】
「互いに交差する方向」とは、互いに非平行な方向をいい、直交する方向や斜交する方向が含まれる。
【００５０】
「曲がりアーム」は、湾曲したアームであってもよく、屈曲したアームであってもよい。
【産業上の利用可能性】
【００５１】
以上のように、本発明は、廊下や階段等の壁面に手すり棒を取り付ける手すりブラケットについて有用である。
【図面の簡単な説明】
【００５２】
【図１】実施形態１に係る手すりブラケットを左右兼用で使用した場合の手すりの構成図である。
【図２】実施形態１に係る手すりブラケットを上下兼用で使用した場合の手すりの構成図である。
【図３】実施形態１に係る手すりブラケットを上下兼用で使用した場合の手すりの構成図である。
【図４】実施形態１に係る手すりブラケットの分解斜視図である。
【図５】台座の正面図である。
【図６】台座の裏面図である。
【図７】台座の横断面図である。
【図８】台座の裏側の斜視図である。
【図９】アームの平面図である。
【図１０】アームの側面図である。
【図１１】アームの正面図である。
【図１２】受け部材の縦断面図である。
【図１３】受け部材の裏面図である。
【図１４】取り付け時におけるアームおよび台座の斜視図である。
【図１５】取り付け時におけるアームおよび台座の斜視図である。
【図１６】取り付け時におけるアームおよび台座の斜視図である。
【図１７】実施形態２に係る手すりブラケットの正面図である。
【図１８】実施形態２に係る手すりブラケットの台座の平面図である。
【図１９】実施形態２に係る手すりブラケットの台座の正面図である。
【図２０】従来の手すりブラケットの分解斜視図である。
【符号の説明】
【００５３】
１              手すりブラケット
５              手すり棒
１０            台座
１１            台座本体
１１ｃ          接触面
１３ａ〜１３ｃ  ねじ穴
１４            取り付け孔
２０            アーム（曲がりアーム）
２０ａ          アームの一端側の軸
２０ｂ          アームの他端側の軸
３０            受け部材
３１            受口
【図１】
2008202313.tif 000003
【図２】
2008202313.tif 000004
【図３】
2008202313.tif 000005
【図４】
2008202313.tif 000006
【図５】
2008202313.tif 000007
【図６】
2008202313.tif 000008
【図７】
2008202313.tif 000009
【図８】
2008202313.tif 000010
【図９】
2008202313.tif 000011
【図１０】
2008202313.tif 000012
【図１１】
2008202313.tif 000013
【図１２】
2008202313.tif 000014
【図１３】
2008202313.tif 000015
【図１４】
2008202313.tif 000016
【図１５】
2008202313.tif 000017
【図１６】
2008202313.tif 000018
【図１７】
2008202313.tif 000019
【図１８】
2008202313.tif 000020
【図１９】
2008202313.tif 000021
【図２０】
2008202313.tif 000022